(57)【要約】【課題】二重化された装置間でリンクアグリゲーションによるプロテクションを実現し、高信頼なネットワークの構築を可能にすること。【解決手段】Ｌ２ＳＷ１−１，１−２は、相互間が回線９にて接続し二重化されている。二重化したＬ２ＳＷ１−１，１−２をＬ２ＳＷ３とＬ２ＳＷ４との間に配置する場合、Ｌ２ＳＷ３との間を回線５，６によって接続し、Ｌ２ＳＷ４との間を回線７，８によって接続する。監視制御部１２，２２は、それぞれの装置で処理されるリンクアグリゲーションの情報に基づき、回線５、回線６、回線７、回線８をそれぞれ冗長化するとともに、そのリンクアグリゲーションの情報を回線９を介して交換し、互いに双方のリンクアグリゲーション処理を協調して行う。【選択図】        図１
2005333549.tif 000002
【特許請求の範囲】
【請求項１】
回線のリンク状態を監視するリンク状態監視手段とリンクアグリゲーションの制御信号であるＬＡＣＰ信号を処理するリンクアグリゲーション処理手段とを有するＩＦ処理手段であって、一方の方路における回線を終端する第１のＩＦ処理手段、および、他方の方路における回線を終端する第２のＩＦ処理手段と、前記第１および第２のＩＦ処理手段の間を接続し方路の切り替えを行うスイッチ手段と、装置内の監視制御を行うとともに、前記ＩＦ処理手段における前記リンク状態監視手段および前記リンクアグリゲーション処理手段にて処理されるリンクアグリゲーションの情報に基づき回線を冗長化する制御を行う監視制御手段とを備えるネットワーク中継装置の２台で構成され、
前記２台のネットワーク中継装置は、互いの前記監視制御手段間が通信回線を介して接続され、
前記各監視制御手段は、それぞれの装置での前記第１のＩＦ処理手段における前記リンク状態監視手段および前記リンクアグリゲーション処理手段にて処理されるリンクアグリゲーションの情報を前記通信回線を介して交換し互いに双方のリンクアグリゲーション処理を協調して行うとともに、前記第２のＩＦ処理手段における前記リンク状態監視手段および前記リンクアグリゲーション処理手段にて処理されるリンクアグリゲーションの情報をも協調して制御する構成、
を備えることを特徴とするネットワーク中継装置の二重化方式。
【請求項２】
前記第１および第２のＩＦ処理手段、前記スイッチ手段は、それぞれ回路の故障を監視する故障監視手段を備え、
前記各監視制御手段は、前記各故障監視手段が発行する故障情報を加味してリンクアグリゲーション処理を行う構成を備える、
ことを特徴とする請求項１に記載のネットワーク中継装置の二重化方式。
【請求項３】
前記リンクアグリゲーション処理手段は、
リンクアグリゲーションの制御信号であるＬＡＣＰ信号の一部をそのまま通過させるスルー処理を行う構成、
を備えることを特徴とする請求項１または２に記載のネットワーク中継装置の二重化方式。
【発明の詳細な説明】
【技術分野】
【０００１】
この発明は、レイヤ２スイッチ（以降「Ｌ２ＳＷ」と記す）などのネットワーク中継装置を二重化する方式に関するものである。
【背景技術】
【０００２】
非特許文献１では、高速インタフェースを利用せずに帯域を増加するトラッキング技術として、サーバーとＬＡＮスイッチの間や２台のＬＡＮスイッチ間などを接続する複数の物理リンクを束ねて１つの倫理リンクとするリンクアグリゲーション（Link aggregation）技術が標準化されている。このリンクアグリゲーションによれば、論理リンクの中の１つの物理リンクに障害が発生しても通信を維持することができる。以下、図４を参照してこのリンクアグリゲーションによるプロテクションについて説明する。なお、このリンクアグリゲーションで用いられるプロトコルは、ＬＡＣＰ（Link Aggregation Control Protocol）である。
【０００３】
図４は、Ｌ２ＳＷによるリンクアグリゲーションの一般的な構成例を示すブロック図である。図４において、Ｌ２ＳＷ３０、Ｌ２ＳＷ３１およびＬ２ＳＷ３２は、それぞれネットワーク中継装置であり、互いに複数の回線で接続されている。図４では、Ｌ２ＳＷ３０に対し、一方の方路で対向するＬ２ＳＷ３１との間は、複数の回線３３−１〜３３−Ｎ（図示例ではＮ＝２）で接続され、また、他方の方路で対向するＬ２ＳＷ３２と間は、複数の回線３４−１〜３４−Ｎ（図示例ではＮ＝１）で接続されている。
【０００４】
着目するＬ２ＳＷ３０は、回線の終端処理を行うべく回線毎に設けられるＩＦ処理部３５−１〜３５−Ｎ（図示例ではＮ＝３）と、一方の方路側に配置される複数のＩＦ処理部（図４ではＩＦ処理部３５−１，３５−２が示されている）と他方の方路側に配置される複数のＩＦ処理部（図４ではＩＦ処理部３５−３が示されている）との間を接続して方路の切り替えを行うスイッチ部（ＳＷ）３６と、各部を監視制御する監視処理部（ＣＯＮＴ）３７とを備え、それらはバス３８を介して接続されている。
【０００５】
ＩＦ処理部３５−１〜３５−３は、それぞれ、回線のリンク状態を監視するリンク状態監視部３９−１〜３９−３と、リンクアグリゲーションの制御信号であるＬＡＣＰ信号を処理するリンクアグリゲーション処理部（ＬＡＣＰ処理部）４０−１〜４０−３とを備えている。
【０００６】
以上の構成において、Ｌ２ＳＷ３０では、監視制御部３７は、Ｌ２ＳＷ３１との間を接続する回線３３−１〜３３−２を終端するＩＦ部３５−１〜３５−２におけるリンク状態監視部３９−１〜３９−２とリンクアグリゲーション処理部４０−１〜４０−２とによって処理されるリンクアグリゲーションの情報をバス３８を介して収集し、それに基づきＬ２ＳＷ３１との間を接続する回線３３−１〜３３−２を冗長化する制御を行う。そして、監視制御部３７は、冗長化された回線３３−１〜３３−２のどちらかに障害が起こった場合は、上記のようにバス３８を介して収集したリンクアグリゲーションの情報に基づき健全回線を選択して通信を維持するプロテクションを当該Ｌ２ＳＷ３０内で実施する。
【０００７】
【非特許文献１】ＩＥＥＥ８０２．３ａｄ
【発明の開示】
【発明が解決しようとする課題】
【０００８】
ここで、信頼性を高めるためにネットワーク中継装置を二重化する場合、二重化するネットワーク中継装置の各々に接続される回線をリンクアグリゲーションによって冗長化するとともに、双方の装置が協調してリンクアグリゲーションによるプロテクションを実施する必要があるので、上述のように動作するネットワーク中継装置の２台を単に並置したのみでは、二重化するネットワーク中継装置間でリンクアグリゲーションによるプロテクションが実現できない。
【０００９】
この発明は、上記に鑑みてなされたものであり、二重化したネットワーク中継装置間でリンクアグリゲーションによるプロテクションを実現し、高信頼なネットワークの実現を可能にするネットワーク中継装置の二重化方式を得ることを目的とする。
【課題を解決するための手段】
【００１０】
上述した目的を達成するために、この発明にかかるネットワーク中継装置の二重化方式は、回線のリンク状態を監視するリンク状態監視手段とリンクアグリゲーションの制御信号であるＬＡＣＰ信号を処理するリンクアグリゲーション処理手段とを有するＩＦ処理手段であって、一方の方路における回線を終端する第１のＩＦ処理手段、および、他方の方路における回線を終端する第２のＩＦ処理手段と、前記第１および第２のＩＦ処理手段の間を接続し方路の切り替えを行うスイッチ手段と、装置内の監視制御を行うとともに、前記ＩＦ処理手段における前記リンク状態監視手段および前記リンクアグリゲーション処理手段にて処理されるリンクアグリゲーションの情報に基づき回線を冗長化する制御を行う監視制御手段とを備えるネットワーク中継装置の２台で構成され、前記２台のネットワーク中継装置は、互いの前記監視制御手段間が通信回線を介して接続され、前記各監視制御手段は、それぞれの装置での前記第１のＩＦ処理手段における前記リンク状態監視手段および前記リンクアグリゲーション処理手段にて処理されるリンクアグリゲーションの情報を前記通信回線を介して交換し互いに双方のリンクアグリゲーション処理を協調して行うとともに、前記第２のＩＦ処理手段における前記リンク状態監視手段および前記リンクアグリゲーション処理手段にて処理されるリンクアグリゲーションの情報をも協調して制御する構成を備えることを特徴とする。
【００１１】
この発明によれば、２台のネットワーク中継装置それぞれにおいてリンクアグリゲーションによる回線冗長化処理を行う監視制御手段が、それぞれの装置において収集したリンクアグリゲーションの情報を互いに協調して制御することができるので、二重化したネットワーク中継装置間でリンクアグリゲーションによるプロテクションが実現でき、高信頼なネットワークの実現を可能にする。
【発明の効果】
【００１２】
この発明によれば、二重化したネットワーク中継装置間でリンクアグリゲーションによるプロテクションが実現できるので、高信頼なネットワークの実現を可能にするという効果を奏する。
【発明を実施するための最良の形態】
【００１３】
以下に図面を参照して、この発明にかかるネットワーク中継装置の二重化方式の好適な実施の形態を詳細に説明する。
【００１４】
実施の形態１．
図１は、この発明の実施の形態１によるネットワーク中継装置の二重化方式の構成を示すブロック図である。なお、ここでは、ネットワーク中継装置としてＬ２ＳＷを例に挙げて説明する。この点は、以下の各実施の形態においても同様である。
【００１５】
図１において、Ｌ２ＳＷ３とＬ２ＳＷ４との間には、二重化されたＬ２ＳＷ１−１，１−２が並列に配置されている。Ｌ２ＳＷ１−１に対し、一方の方路で対向するＬ２ＳＷ３との間は、複数の回線（図１では回線５の１回線のみが示されている）で接続され、また、他方の方路で対向するＬ２ＳＷ４と間は、複数の回線（図１では回線７の１回線のみが示されている）で接続されている。
【００１６】
Ｌ２ＳＷ１−２に対し、一方の方路で対向するＬ２ＳＷ３との間は、複数の回線（図１では回線６の１回線のみが示されている）で接続され、また、他方の方路で対向するＬ２ＳＷ４と間は、複数の回線（図１では回線８の１回線のみが示されている）で接続されている。そして、二重化されたＬ２ＳＷ１−１，１−２の間は、回線９を介して接続されている。
【００１７】
Ｌ２ＳＷ１−１は、Ｌ２ＳＷ３との間を接続する複数の回線（図１では回線５の１回線のみが示されている）の終端処理を行うべく回線毎に設けられる複数のＩＦ処理部（図１ではＩＦ処理部１０−１ａの１つのみが示されている）と、Ｌ２ＳＷ４との間を接続する複数の回線（図１では回線７の１回線のみが示されている）の終端処理を行うべく回線毎に設けられる複数のＩＦ処理部（図１ではＩＦ処理部１０−２ａの１つのみが示されている）と、一方の方路側に配置される複数のＩＦ処理部（図１ではＩＦ処理部１０−１ａの１つのみが示されている）と他方の方路側に配置される複数のＩＦ処理部（図１ではＩＦ処理部１０−２ａの１つのみが示されている）との間を接続して方路の切り替えを行うスイッチ部（ＳＷ）１１ａと、各部を監視制御する監視処理部（ＣＯＮＴ）１２とを備え、それらはバス１３を介して接続されている。
【００１８】
Ｌ２ＳＷ１−１において一方の方路側に配置される複数のＩＦ処理部（図１ではＩＦ処理部１０−１ａの１つのみが示されている）は、Ｌ２ＳＷ３との間を接続する複数の回線（図１では回線５の１回線のみが示されている）における対応する回線のリンク状態を監視するリンク状態監視部１４−１と、その対応する回線５におけるリンクアグリゲーションの制御信号であるＬＡＣＰ信号を処理するリンクアグリゲーション処理部（ＬＡＣＰ処理部）１５−１ａとを備えている。
【００１９】
また、Ｌ２ＳＷ１−１において他方の方路側に配置される複数のＩＦ処理部（図１ではＩＦ処理部１０−２ａの１つのみが示されている）は、Ｌ２ＳＷ４との間を接続する複数の回線（図１では回線７の１回線のみが示されている）における対応する回線のリンク状態を監視するリンク状態監視部１４−２と、その対応する回線７におけるリンクアグリゲーションの制御信号であるＬＡＣＰ信号を処理するリンクアグリゲーション処理部（ＬＡＣＰ処理部）１５−２ａとを備えている。
【００２０】
Ｌ２ＳＷ１−２は、複数の回線（図１では回線６の１回線のみが示されている）の終端処理を行うべく回線毎に設けられる複数のＩＦ処理部（図１ではＩＦ処理部２０−１ａの１つのみが示されている）と、複数の回線（図１では回線８の１回線のみが示されている）の終端処理を行うべく回線毎に設けられる複数のＩＦ処理部（図１ではＩＦ処理部２０−２ａの１つのみが示されている）と、複数のＩＦ処理部（図１ではＩＦ処理部２０−１ａの１つのみが示されている）と複数のＩＦ処理部（図１ではＩＦ処理部２０−２ａの１つのみが示されている）との間を接続し方路の切り替えを行うスイッチ部（ＳＷ）２１ａと、各部を監視制御する監視処理部（ＣＯＮＴ）２２とを備え、それらはバス２３を介して接続されている。
【００２１】
Ｌ２ＳＷ１−２において一方の方路側に配置される複数のＩＦ処理部（図１ではＩＦ処理部２０−１ａの１つのみが示されている）は、Ｌ２ＳＷ３との間を接続する複数の回線（図１では回線６の１回線のみが示されている）における対応する回線のリンク状態を監視するリンク状態監視部２４−１と、その対応する回線６におけるリンクアグリゲーションの制御信号であるＬＡＣＰ信号を処理するリンクアグリゲーション処理部（ＬＡＣＰ処理部）２５−１ａとを備えている。
【００２２】
また、Ｌ２ＳＷ１−２において他方の方路側に配置される複数のＩＦ処理部（図１ではＩＦ処理部２０−２ａの１つのみが示されている）は、Ｌ２ＳＷ４との間を接続する複数の回線（図１では回線８の１回線のみが示されている）における対応する回線のリンク状態を監視するリンク状態監視部２４−２と、その対応する回線８におけるリンクアグリゲーションの制御信号であるＬＡＣＰ信号を処理するリンクアグリゲーション処理部（ＬＡＣＰ処理部）２５−２ａとを備えている。
【００２３】
そして、Ｌ２ＳＷ１−１の監視処理部（ＣＯＮＴ）１２とＬ２ＳＷ１−２の監視処理部（ＣＯＮＴ）２２との間が上記した回線９を介して接続されている。
【００２４】
以上の構成において、回線９によって二重化されたＬ２ＳＷ１−１，Ｌ２ＳＷ１−２をＬ２ＳＷ３とＬ２ＳＷ４との間に配置する場合、Ｌ２ＳＷ１−１とＬ２ＳＷ３との間を回線５によって接続し、Ｌ２ＳＷ１−２とＬ２ＳＷ３との間を回線６によって接続することで、二重化されたＬ２ＳＷ１−１，Ｌ２ＳＷ１−２とＬ２ＳＷ３との間を冗長化する。
【００２５】
また、Ｌ２ＳＷ１−１とＬ２ＳＷ４との間を回線７によって接続し、Ｌ２ＳＷ１−２とＬ２ＳＷ４との間を回線８によって接続することで、二重化されたＬ２ＳＷ１−１，Ｌ２ＳＷ１−２とＬ２ＳＷ４との間を冗長化する。
【００２６】
Ｌ２ＳＷ１−１では、監視制御部１２が、Ｌ２ＳＷ３との間を接続する回線５を終端するＩＦ部１０−１ａにおけるリンク状態監視部１４−１およびリンクアグリゲーション処理部１５−１ａによって処理されるリンクアグリゲーションの情報をバス１３を介して収集し、それに基づきＬ２ＳＷ１−１とＬ２ＳＷ３との間を接続する回線５をリンクアグリゲーションによって冗長化する制御を行う。
【００２７】
また、Ｌ２ＳＷ１−２では、監視制御部２２が、Ｌ２ＳＷ３との間を接続する回線６を終端するＩＦ部２０−１ａにおけるリンク状態監視部２４−１およびリンクアグリゲーション処理部２５−１ａによって処理されるリンクアグリゲーションの情報をバス２３を介して収集し、それに基づきＬ２ＳＷ１−２とＬ２ＳＷ３との間を接続する回線６をリンクアグリゲーションによって冗長化する制御を行う。
【００２８】
そして、Ｌ２ＳＷ１−１の監視制御部１２とＬ２ＳＷ１−２の監視制御部２２は、それぞれの装置で収集制御するリンクアグリゲーションの情報を回線バス９を介して交換し、協調して回線５と回線６とを１つに束ねるリンクアグリゲーションの処理を実施する。
【００２９】
また、二重化されたＬ２ＳＷ１−１，Ｌ２ＳＷ１−２では、Ｌ２ＳＷ１−１の監視制御部１２とＬ２ＳＷ１−２の監視制御部２２が、Ｌ２ＳＷ４との間を接続する回線７，８を終端するＩＦ部１０−２ａ，２０−２ａにおけるリンク状態監視部１４−２，２４−２およびリンクアグリゲーション処理部１５−２ａ，２５−２ａによって処理されるリンクアグリゲーションの情報をバス２３を介して収集し、それぞれの回線におけるリンクアグリゲーションの情報を制御するとともに、その収集したリンクアグリゲーションの情報を上記のように冗長化されている回線５，６についてのリンクアグリゲーションの情報と共に回線９を介して交換し、協調して回線７と回線８とを１つに束ねるリンクアグリゲーションの処理を実施する。
【００３０】
その結果、リンクアグリゲーションによって冗長化された回線５，６において、例えば回線５に障害が起こった場合、回線６を有効にするとともに、障害が起こった回線５に接続されているＬ２ＳＷ１−１とＬ２ＳＷ４との間を接続している回線７を無効にし、Ｌ２ＳＷ１−２とＬ２ＳＷ４との間を接続している回線８を有効にするような、二重化されたＬ２ＳＷ１−１とＬ２ＳＷ１−２との間で協調したリンクアグリゲーションによるプロテクションが行われる。
【００３１】
このように、実施の形態１によれば、２台のＬ２ＳＷを用いて二重化構成とした場合においても、回線障害時において二重化された装置間でリンクアグリゲーションによるプロテクションが実現できるので、高信頼なネットワークを簡単に構築することができるようになる。
【００３２】
実施の形態２．
図２は、この発明の実施の形態２によるネットワーク中継装置の二重化方式の構成を示すブロック図である。なお、図２では、図１（実施の形態１）に示した構成要素と同一ないしは同等である構成要素には同一の符号が付されている。ここでは、実施の形態２に関わる部分を中心に説明する。
【００３３】
すなわち、実施の形態２では、図２に示すように、図１（実施の形態１）に示した構成において、Ｌ２ＳＷ３とＬ２ＳＷ４との間には、二重化されたＬ２ＳＷ１−１，１−２に代えて、二重化されたＬ２ＳＷ１−３，１−４が並列に配置されている。
【００３４】
Ｌ２ＳＷ１−３では、図１（実施の形態１）に示したＬ２ＳＷ１−１において、ＩＦ処理部１０−１ａ，１０−２ａに代えてＩＦ処理部１０−１ｂ，１０−２ｂが設けられ、スイッチ（ＳＷ）１１ａに代えてスイッチ（ＳＷ）１１ｂが設けられている。ＩＦ処理部１０−１ｂ，１０−２ｂには、回路の故障を監視する故障監視部１６−１，１６−２が追加され、またスイッチ（ＳＷ）１１ｂにも同様に回路の故障を監視する故障監視部１７が追加されている。
【００３５】
Ｌ２ＳＷ１−４では、図１（実施の形態１）に示したＬ２ＳＷ１−２において、ＩＦ処理部２０−１ａ，２０−２ａに代えてＩＦ処理部２０−１ｂ，２０−２ｂが設けられ、スイッチ（ＳＷ）２１ａに代えてスイッチ（ＳＷ）２１ｂが設けられている。ＩＦ処理部２０−１ｂ，２０−２ｂには、回路の故障を監視する故障監視部２６−１，２６−２が追加され、またスイッチ（ＳＷ）２１ｂにも同様に回路の故障を監視する故障監視部２７が追加されている。
【００３６】
以上の構成において、回線９によって二重化されたＬ２ＳＷ１−３，Ｌ２ＳＷ１−４をＬ２ＳＷ３とＬ２ＳＷ４との間に配置する場合、Ｌ２ＳＷ１−３とＬ２ＳＷ３との間を回線５によって接続し、Ｌ２ＳＷ１−４とＬ２ＳＷ３との間を回線６によって接続することで、二重化されたＬ２ＳＷ１−３，Ｌ２ＳＷ１−４とＬ２ＳＷ３との間を冗長化する。
【００３７】
また、Ｌ２ＳＷ１−３とＬ２ＳＷ４との間を回線７によって接続し、Ｌ２ＳＷ１−４とＬ２ＳＷ４との間を回線８によって接続することで、二重化されたＬ２ＳＷ１−３，Ｌ２ＳＷ１−４とＬ２ＳＷ４との間を冗長化する。
【００３８】
Ｌ２ＳＷ１−３では、監視制御部１２が、Ｌ２ＳＷ３との間を接続する回線５を終端するＩＦ部１０−１ｂにおけるリンク状態監視部１４−１およびリンクアグリゲーション処理部１５−１ａによって処理されるリンクアグリゲーションの情報をバス１３を介して収集する。
【００３９】
同時に、監視制御部１２は、ＩＦ処理部１０−１ｂ，１０−２ｂにおける故障監視部１６−１，１６−２およびスイッチ部（ＳＷ）１１ｂにおける故障監視部１７にて監視された回路の故障情報をバス１３を介して収集し、その故障情報を上記のように収集したリンクアグリゲーションの情報に加味して当該Ｌ２ＳＷ１−３とＬ２ＳＷ３との間を接続する回線５をリンクアグリゲーションによって冗長化する制御を行う。
【００４０】
また、Ｌ２ＳＷ１−４では、監視制御部２２が、Ｌ２ＳＷ３との間を接続する回線６を終端するＩＦ部２０−１ｂにおけるリンク状態監視部２４−１およびリンクアグリゲーション処理部２５−１ａによって処理されるリンクアグリゲーションの情報をバス２３を介して収集する。
【００４１】
同時に、監視制御部２２は、ＩＦ処理部２０−１ｂ，２０−２ｂにおける故障監視部２６−１，２６−２およびスイッチ部（ＳＷ）２１ｂにおける故障監視部１７にて監視された回路の故障情報をバス２３を収集し、その故障情報を上記のように収集したリンクアグリゲーションの情報に加味して当該Ｌ２ＳＷ１−４とＬ２ＳＷ３との間を接続する回線６をリンクアグリゲーションによって冗長化する制御を行う。
【００４２】
そして、Ｌ２ＳＷ１−３の監視制御部１２とＬ２ＳＷ１−４の監視制御部２２は、それぞれの装置で収集制御するリンクアグリゲーションの情報を回線バス９を介して交換し、協調して回線５と回線６とを１つに束ねるリンクアグリゲーションの処理を実施する。
【００４３】
また、二重化されたＬ２ＳＷ１−３，Ｌ２ＳＷ１−４では、Ｌ２ＳＷ１−３の監視制御部１２とＬ２ＳＷ１−４の監視制御部２２が、Ｌ２ＳＷ４との間を接続する回線７，８を終端するＩＦ部１０−２ｂ，２０−２ｂにおけるリンク状態監視部１４−２，２４−２およびリンクアグリゲーション処理部１５−２ａ，２５−２ａによって処理されるリンクアグリゲーションの情報（故障情報が加味されている）をバス２３を介して収集し、それぞれの回線におけるリンクアグリゲーションを制御するとともに、その収集したリンクアグリゲーションの情報を冗長化されている回線５，６についてのリンクアグリゲーションの情報と共に回線バス９を介して交換し協調して回線７と回線８とを１つに束ねるリンクアグリゲーションの処理を実施する。
【００４４】
その結果、リンクアグリゲーションによって冗長化された回線５，６において、例えば回線５に障害が起こった場合、或いはＩＦ処理部１０−１ｂ，ＩＦ処理部１０−２ｂ，スイッチ（ＳＷ）１１ｂの何れかに障害が起こった場合、回線６を有効にするとともに、回線５に接続されているＬ２ＳＷ１−３とＬ２ＳＷ４との間を接続している回線７を無効にし、Ｌ２ＳＷ１−４とＬ２ＳＷ４との間を接続している回線８を有効にするような、二重化されたＬ２ＳＷ１−３とＬ２ＳＷ１−４との間で協調したリンクアグリゲーションによるプロテクションが行われる。
【００４５】
このように、実施の形態２によれば、２台のＬ２ＳＷを用いて二重化構成とした場合においても、回線障害時や装置故障時において二重化された装置間でリンクアグリゲーションによるプロテクションが実現できるので、高信頼なネットワークを簡単に構築することができるようになる。
【００４６】
実施の形態３．
図３は、この発明の実施の形態３によるネットワーク中継装置の二重化方式の構成を示すブロック図である。なお、図３では、図２（実施の形態２）に示した構成要素と同一ないしは同等である構成要素には同一の符号が付されている。ここでは、実施の形態３に関わる部分を中心に説明する。
【００４７】
すなわち、実施の形態３では、図３に示すように、図２（実施の形態２）に示した構成において、Ｌ２ＳＷ３とＬ２ＳＷ４との間には、二重化されたＬ２ＳＷ１−３，１−４に代えて、二重化されたＬ２ＳＷ１−５，１−６が並列に配置されている。
【００４８】
Ｌ２ＳＷ１−５では、図２（実施の形態２）に示したＬ２ＳＷ１−３において、ＩＦ処理部１０−１ｂ，１０−２ｂに代えてＩＦ処理部１０−１ｃ，１０−２ｃが設けられている。
【００４９】
ＩＦ処理部１０−１ｃ，１０−２ｃでは、図２（実施の形態２）に示したＩＦ処理部１０−１ｂ，１０−２ｂにおいて、リンクアグリゲーション処理部（ＬＡＣＰ処理部）１５−１ａ，１５−２ａに代えてリンクアグリゲーション処理部（ＬＡＣＰ処理部）１５−１ｂ，１５−２ｂが設けられている。
【００５０】
リンクアグリゲーション処理部１５−１ｂ，１５−２ｂは、リンクアグリゲーションの制御信号であるＬＡＣＰ信号の全部を終端するのではなく、ＬＡＣＰ信号の一部はそのまま通過させるスルー処理を行うようになっている。
【００５１】
Ｌ２ＳＷ１−６では、図２（実施の形態２）に示したＬ２ＳＷ１−４において、ＩＦ処理部２０−１ｂ，２０−２ｂに代えてＩＦ処理部２０−１ｃ，２０−２ｃが設けられている。
【００５２】
ＩＦ処理部２０−１ｃ，２０−２ｃでは、図２（実施の形態２）に示したＩＦ処理部２０−１ｂ，２０−２ｂにおいて、リンクアグリゲーション処理部（ＬＡＣＰ処理部）２５−１ａ，２５−２ａに代えてリンクアグリゲーション処理部（ＬＡＣＰ処理部）２５−１ｂ，２５−２ｂが設けられている。
【００５３】
リンクアグリゲーション処理部２５−１ｂ，２５−２ｂは、リンクアグリゲーションの制御信号であるＬＡＣＰ信号の全部を終端するのではなく、ＬＡＣＰ信号の一部はそのまま通過させるスルー処理を行うようになっている。
【００５４】
以上の構成において、回線９によって二重化されたＬ２ＳＷ１−５，Ｌ２ＳＷ１−６をＬ２ＳＷ３とＬ２ＳＷ４との間に配置する場合、Ｌ２ＳＷ１−５とＬ２ＳＷ３との間を回線５によって接続し、Ｌ２ＳＷ１−６とＬ２ＳＷ３との間を回線６によって接続することで、二重化されたＬ２ＳＷ１−５，Ｌ２ＳＷ１−６とＬ２ＳＷ３との間を冗長化する。
【００５５】
また、Ｌ２ＳＷ１−５とＬ２ＳＷ４との間を回線７によって接続し、Ｌ２ＳＷ１−６とＬ２ＳＷ４との間を回線８によって接続することで、二重化されたＬ２ＳＷ１−５，Ｌ２ＳＷ１−６とＬ２ＳＷ４との間を冗長化する。
【００５６】
Ｌ２ＳＷ１−５では、監視制御部１２が、Ｌ２ＳＷ３との間を接続する回線５を終端するＩＦ部１０−１ｃにおけるリンク状態監視部１４−１およびリンクアグリゲーション処理部１５−１ｂによって処理されるリンクアグリゲーションの情報をバス１３を介して収集する。
【００５７】
同時に、監視制御部１２は、ＩＦ処理部１０−１ｃ，１０−２ｃにおける故障監視部１６−１，１６−２およびスイッチ部（ＳＷ）１１ｂにおける故障監視部１７にて監視された回路の故障情報をバス１３を介して収集し、その故障情報を上記のように収集したリンクアグリゲーションの情報に加味して当該Ｌ２ＳＷ１−５とＬ２ＳＷ３との間を接続する回線５をリンクアグリゲーションによって冗長化する制御を行う。
【００５８】
また、Ｌ２ＳＷ１−６では、監視制御部２２が、Ｌ２ＳＷ３との間を接続する回線６を終端するＩＦ部２０−１ｃにおけるリンク状態監視部２４−１およびリンクアグリゲーション処理部２５−１ｂによって処理されるリンクアグリゲーションの情報をバス２３を介して収集する。
【００５９】
同時に、監視制御部２２は、ＩＦ処理部２０−１ｃ，２０−２ｃにおける故障監視部２６−１，２６−２およびスイッチ部（ＳＷ）２１ｂにおける故障監視部１７にて監視された回路の故障情報をバス２３を収集し、その故障情報を上記のように収集したリンクアグリゲーションの情報に加味して当該Ｌ２ＳＷ１−６とＬ２ＳＷ３との間を接続する回線６をリンクアグリゲーションによって冗長化する制御を行う。
【００６０】
そして、Ｌ２ＳＷ１−４の監視制御部１２とＬ２ＳＷ１−６の監視制御部２２は、それぞれの装置で収集制御するリンクアグリゲーションの情報を回線バス９を介して交換し、協調して回線５と回線６とを１つに束ねるリンクアグリゲーションの処理を実施する。
【００６１】
また、二重化されたＬ２ＳＷ１−５，Ｌ２ＳＷ１−６では、Ｌ２ＳＷ１−５の監視制御部１２とＬ２ＳＷ１−６の監視制御部２２が、Ｌ２ＳＷ４との間を接続する回線７，８を終端するＩＦ部１０−２ｃ，２０−２ｃにおけるリンク状態監視部１４−２，２４−２およびリンクアグリゲーション処理部１５−２ｂ，２５−２ｂによって処理されるリンクアグリゲーションの情報（故障情報が加味されている）をバス２３を介して収集し、それぞれの回線におけるリンクアグリゲーションを制御するとともに、その収集したリンクアグリゲーションの情報を冗長化されている回線５，６についてのリンクアグリゲーションの情報と共に回線バス９を介して交換し協調して回線７と回線８とを１つに束ねるリンクアグリゲーションの処理を実施する。
【００６２】
このとき、ＩＦ部１０−１ｃ，１０−２ｃにおけるリンクアグリゲーション処理部１５−１ｂ，１５−２ｂ、および、ＩＦ部２０−１ｃ，２０−２ｃにおけるリンクアグリゲーション処理部２５−１ｂ，２５−２ｂは、それぞれ、リンクアグリゲーションの制御信号であるＬＡＣＰ信号の一部はそのまま通過させるスルー処理を行う。
【００６３】
その結果、リンクアグリゲーションによって冗長化された回線５，６において、例えば回線５に障害が起こった場合、或いはＩＦ処理部１０−１ｃ，ＩＦ処理部１０−２ｃ，スイッチ（ＳＷ）１１ｂの何れかに障害が起こった場合、回線６を有効にするとともに、回線５に接続されているＬ２ＳＷ１−５とＬ２ＳＷ４との間を接続している回線７を無効にし、Ｌ２ＳＷ１−６とＬ２ＳＷ４との間を接続している回線８を有効にするような、二重化されたＬ２ＳＷ１−４とＬ２ＳＷ１−６との間で協調したリンクアグリゲーションによるプロテクションが行われる。
【００６４】
このように、実施の形態３によれば、２台のＬ２ＳＷを用いて二重化構成とした場合においても、回線障害時や装置故障時において二重化された装置間でリンクアグリゲーションによるプロテクションが実現できるので、高信頼なネットワークを簡単に構築することができるようになる。
【００６５】
加えて、実施の形態３では、リンクアグリゲーションの制御信号であるＬＡＣＰ信号の一部はそのまま通過させるスルー処理を行うので、リンクアグリゲーションの制御信号であるＬＡＣＰ信号の全部を終端する場合に比して処理負荷の軽減が図れる。
【００６６】
なお、実施の形態３では、リンクアグリゲーションの制御信号であるＬＡＣＰ信号の一部をそのまま通過させるスルー処理を実施の形態２の構成において実施する場合を示したが、実施の形態１にも同様に適用できることは言うまでもない。
【産業上の利用可能性】
【００６７】
以上のように、この発明にかかるネットワーク中継装置の二重化方式は、高信頼なネットワークを構築するのに有用である。
【図面の簡単な説明】
【００６８】
【図１】この発明の実施の形態１によるネットワーク中継装置の二重化方式の構成を示すブロック図である。
【図２】この発明の実施の形態２によるネットワーク中継装置の二重化方式の構成を示すブロック図である。
【図３】この発明の実施の形態１によるネットワーク中継装置の二重化方式の構成を示すブロック図である。
【図４】Ｌ２ＳＷによるリンクアグリゲーションの一般的な構成例を示すブロック図である。
【符号の説明】
【００６９】
１−１，１−２  二重化したネットワーク中継装置（Ｌ２ＳＷ）
１−３，１−４  二重化したネットワーク中継装置（Ｌ２ＳＷ）
１−５，１−６  二重化したネットワーク中継装置（Ｌ２ＳＷ）
３，４  対向するネットワーク中継装置（Ｌ２ＳＷ）
５，６  回線
７，８  回線
９  回線
１０−１ａ，１０−１ａ，１０−１ｃ，２０−１ａ，２０−１ａ，２０−１ｃ  ＩＦ処理部
１１−１ａ，１１−１ａ，１１−１ｃ，２１−１ａ，２１−１ａ，２１−１ｃ  スイッチ部（ＳＷ）
１２，２２  監視処理部
１３，２３  バス
１４−１，１４−２，２４−１，２４−２  リンク状態監視部
１５−１ａ，１５−１ｂ，１５−２ａ，１５−２ｂ，２５−１ａ，２５−１ｂ，２５−２ａ，２５−２ｂ  リンクアグリゲーション処理部（ＬＡＣＰ処理部）
１６−１，１６−２，２６−１，２６−２，１７，２７  故障監視部
【図１】
2005333549.tif 000003
【図２】
2005333549.tif 000004
【図３】
2005333549.tif 000005
【図４】
2005333549.tif 000006